(57)【要約】【課題】  多層型光ディスクに記録されている信号の読み出し動作を行う場合に信号の読み出し動作を行っている信号記録層以外の信号記録層から反射されるレーザー光である迷光がフォーカシング制御動作に悪影響を与えるという問題がある。【解決手段】  少なくとも２層以上の信号記録層が設けられているとともに信号の読み取り動作を行うレーザー光が入射される面側から数えて奇数番目の信号記録層と偶数番目の信号記録層の各層に偏光方向が逆の関係にある偏光反射コートを付したことを特徴とするものである。【選択図】  図１
2010040151.tif 000002
【特許請求の範囲】
【請求項１】
少なくとも２層以上の信号記録層が設けられている多層型光ディスクであり、信号の読み取り動作を行うレーザー光が入射される面側から数えて奇数番目の信号記録層と偶数番目の信号記録層の各層に偏光方向が逆の関係にある偏光反射コートを付したことを特徴とする多層型光ディスク。
【発明の詳細な説明】
【技術分野】
【０００１】
本発明は、光ピックアップ装置から照射されるレーザー光によって信号の記録再生動作を行うように構成されているとともに複数の信号記録層が設けられている多層型の光ディスクに関する。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
レーザー光によって信号記録層に記録されている信号を読み出すためには、レーザー光を信号記録層に集光させるフォーカシング制御動作及び信号記録層に渦巻き状に設けられている信号トラックにレーザー光を追従させるトラッキング制御動作を正確に行う必要がある。
【０００５】
斯かるフォーカシング制御動作を行う方法としては、種々あるが非点収差の発生を利用した非点収差法が一般的に行われている。また、トラッキング制御方法としても種々あるが、メインビームと２つのサブビームを使用する３ビーム法が一般的に行われている。
【０００６】
更に、最近では正確なフォーカシング制御動作を行うためにメインビームだけでなくサブビームも使用する差動非点収差法が採用されている。斯かるフォーカシング制御動作に利用される非点収差法、差動非点収差法及びトラッキング制御動作に利用される３ビーム法は、２つのサブビームが各々照射される２つのサブビーム用受光部とメインビームが照射されるメインビーム用受光部が組み込まれている光検出器を設け、この光検出器から得られる信号によりフォーカスエラー信号やトラッキングエラー信号を生成させることによって各制御動作を行うように構成されているが、斯かる技術は、周知であるのでその説明は省略する。
【０００７】
また、最近では、信号記録層が１層ではなく２層設けられている光ディスクが製品化されており、斯かる光ディスクに設けられている信号記録層に記録されている信号の読み出し動作を行うことが出来る光ピックアップ装置も製品化されている。
【０００８】
２層式の光ディスクに記録されている信号の読み出し動作を行う場合、読み出し動作が行われている方の信号記録層へのフォーカシング制御動作及びトラッキング制御動作が行われるが、読み出し動作が行われていない方の信号記録層からもレーザー光が反射されることになる。読み出し動作が行われていない方の信号記録層から反射されるレーザー光は、一般に迷光と呼ばれており、斯かる迷光が差動非点収差法によるフォーカシング制御動作に使用されるフォーカスエラー信号を生成する光検出器に照射され、この迷光によってフォーカスエラー信号にオフセットが発生したり、振幅変動が発生し、フォーカシング制御動作を正確に行うことが出来ないという問題がある。
【０００９】
斯かる迷光による問題を解決する方法として光検出器の形状を迷光による影響を排除する形状にしたものが提案されている。（特許文献１参照。）
【特許文献１】特開２００７−４２２３６号公報
【発明の開示】
【発明が解決しようとする課題】
【００１０】
前述した特許文献に開示されている従来技術は、信号記録層が複数設けられている多層型光ディスクにおける迷光による影響を抑制するものであるが、メインビームを受光する受光部の面積とサブビームを受光する受光部の面積とが略同一にされているので、メインビームから発生する迷光による影響を受けやすいという問題がある。
【００１１】
また、光ディスク装置におけるフォーカシング制御動作は、まず光ピックアップ装置に組み込まれている対物レンズを動作位置、即ちレーザー光を信号記録層に集光させる位置まで大きく変位させる動作を行った後光ディスクの平面振動に伴うフォーカシングのずれを補正するために対物レンズの位置を細かく変位させる動作の組み合わせによって行われる。
【００１２】
斯かるフォーカシング制御動作において、対物レンズを動作位置に変位させるとき、光検出器に設けられているサブビーム用受光部及びメインビーム用受光部に照射されるレーザースポットが大きく広がるため、不要なレーザー光、特に光強度が強いメインビームのスポットがサブビーム用受光部に照射され、フォーカシング制御動作に悪影響を与えるという問題が発生する。
【００１３】
前述した迷光による問題は、信号の読み出し動作を行っている信号記録層の奥にある信号記録層から反射されるレーザー光の方が信号の読み出し動作を行っている信号記録層の手前にある信号記録層から反射されるレーザー光よりも大きいという特性がある。
【００１４】
従って、斯かる迷光による影響を少なくする方法として信号記録層と信号記録層との間に設けられる透明な保護層の厚みを大きくする方法があるが、斯かる方法では保護層の厚みに起因して発生する球面収差量が大きくなるという問題があるだけでなく信号記録層の数を多くすることが出来ないという問題がある。
【００１５】
本発明は、前述した迷光による問題を解決することが出来る多層型光ディスクを提供しようとするものである。
【課題を解決するための手段】
【００１６】
本発明は、少なくとも２層以上の信号記録層が設けられている多層型光ディスクにおいて、信号の読み取り動作を行うレーザー光が入射される面側から数えて奇数番目の信号記録層と偶数番目の信号記録層の各層に偏光方向が逆の関係にある偏光反射コートを付したことを特徴とするものである。
【発明の効果】
【００１７】
本発明の光ディスクは、信号の読み取り動作を行うレーザー光が入射される面側から数えて奇数番目の信号記録層と偶数番目の信号記録層の各層に偏光方向が逆の関係にある偏光反射コートを付したので、光ピックアップ装置から照射されるレーザー光の偏光方向を切り換えることによって読み出し動作を行う信号記録層を選択するように構成すれば迷光による影響を無くすることが出来る。
【実施例】
【００１８】
図１は本発明に係る多層型光ディスクと対物レンズとの関係を示す断面図、図２は本発明に係る多層型光ディスクと対物レンズとの関係を示す断面図、図３は本発明の多層型光ディスクに記録されている信号の読み出し動作を行う光ピックアップ装置の一実施例を示
す構成図である。
【００１９】
図１に示す断面図のように本発明に係る多層型光ディスクＤは、例えば光ピックアップ装置から照射されるレーザー光が入射される入射面Ｄ１側から第１信号記録層Ｌ１、第２信号記録層Ｌ２、第３信号記録層Ｌ３及び第４信号記録層Ｌ４の４つの信号記録層が設けられており、入射面Ｄ１と第１信号記録層Ｌ１との間、第１信号記録層Ｌ１と第２信号記録層Ｌ２との間、第２信号記録層Ｌ２と第３信号記録層Ｌ３との間及び第３信号記録層Ｌ３と第４信号記録層Ｌ４との間には夫々透明な保護層Ｇ１、Ｇ２、Ｇ３及びＧ４が設けられている。
【００２０】
また、本発明に係る多層型光ディスクＤは、前述した第１信号記録層Ｌ１、第２信号記録層Ｌ２、第３信号記録層Ｌ３及び第４信号記録層Ｌ４の各信号記録層におけるレーザー光が入射される側の面には、夫々第１偏光反射コートＰ１、第２偏光反射コートＰ２、第３偏光反射コートＰ３及び第４偏光反射コートＰ４が付されている。
【００２１】
そして、斯かる構成において、奇数番目の信号記録層である第１信号記録層Ｌ１及び第３信号記録層Ｌ３に付されている第１偏光反射コートＰ１及び第３偏光反射コートＰ３の偏光方向と偶数番目の信号記録層である第２信号記録層Ｌ２及び第４信号記録層Ｌ４に付されている第２偏光反射コートＰ２及び第４偏光反射コートＰ４の偏光方向とが逆になるようにされている。
【００２２】
即ち、例えば第１信号記録層Ｌ１及び第３信号記録層Ｌ３に付されている第１偏光反射コートＰ１及び第３偏光反射コートＰ３の偏光方向を直線偏光光のＰ方向になるように設定し、第２信号記録層Ｌ２及び第４信号記録層Ｌ４に付されている第２偏光反射コートＰ２及び第４偏光反射コートＰ４の偏光方向を直線偏光光のＳ方向になるように設定されている。
【００２３】
斯かる構成の多層型光ディスクＤにおいて、第１信号記録層Ｌ１に付されている第１偏光反射コートＰ１及び第３信号記録層Ｌ３に付されている第３偏光反射コートＰ３は、Ｐ偏光光を反射させるが、Ｓ偏光光は透過させるように作用することになる。また、第２信号記録層Ｌ２に付されている第２偏光反射コートＰ２及び第４信号記録層Ｌ４に付されている第４偏光反射コートＰ４は、Ｓ偏光光を反射させるが、Ｐ偏光光は透過させるように作用することになる。
【００２４】
また、斯かる構成の多層型光ディスクＤにおいて、第１信号記録層Ｌ１及び第１偏光反射コートＰ１より構成される第１信号層は入射されるＰ偏光光の全てを反射させるものではなく、第３信号記録層Ｌ３に記録されている信号の読み出し動作を行うために必要なレベルのレーザー光を透過させることが出来るように構成されている。そして、第２信号記録層Ｌ２及び第２偏光反射コートＰ２より構成される第２信号層は入射されるＳ偏光光の全てを反射させるものではなく、第４信号記録層Ｌ４に記録されている信号の読み出し動作を行うために必要なレベルのレーザー光を透過させることが出来るように構成されている。
【００２５】
以上に説明したように本発明の多層型光ディスクＤは構成されているが、次に斯かる構成の多層型光ディスクＤの各信号記録層に記録されている信号の読み出し動作を行うことが出来る光ピックアップ装置について、図３に示す実施例を参照にして説明する。
【００２６】
図３において、１はレーザー駆動回路から供給される駆動信号に対応した出力のレーザー光を放射するレーザーダイオードであり、例えばＳ偏光光のレーザー光を放射するように構成されている。斯かる構成において、信号の読み出し動作を行う信号記録層に応じて
レーザーダイオード１に供給される駆動信号の大きさを変更制御するように構成されている。
【００２７】
２は前記レーザーダイオード１から放射されるレーザー光が入射される回折格子であり、メインビームである０次光とサブビームである＋１次光及び−１次光より成るレーザー光を生成出射する作用を成すものである。
【００２８】
３は前記回折格子２から出射されるレーザー光が入射される偏光ビームスプリッタであり、多層型光ディスクＤに照射されるレーザー光を透過させるとともにレーザー光の出力を制御するべく設けられているフロントモニター用ダイオード４へ照射されるモニター用レーザー光を反射させる制御膜３ａが設けられている。また、前記制御膜３ａは後述するように多層型光ディスクＤに設けられている各信号記録層から反射される戻り光を制御用レーザー光として反射させる作用も成すように構成されている。
【００２９】
前記偏光ビームスプリッタ３に設けられている制御膜３ａは、例えばＳ偏光光の半分の光量のレーザー光を透過させるとともに半分の光量のレーザー光を反射させるように構成されている。
【００３０】
５は前記偏光ビームスプリッタ３の制御膜３ａを透過したレーザー光が入射されるコリメートレンズであり、入射されるレーザー光を平行光であるレーザー光に変更する作用を成すものである。６は前記レーザー光が入射される反射ミラーであり、入射されたレーザー光の全てを多層型光ディスクＤ方向へ反射させる作用を成すものである。斯かる反射ミラー６は、一般的には立ち上げミラーと呼ばれている。
【００３１】
７は前記反射ミラー６から反射されたレーザー光が入射される対物レンズであり、多層型光ディスクＤに設けられている各信号記録層に絞ったレーザー光として集光させる作用を成すものである。また、前記対物レンズ７は、多層型光ディスクＤの信号面に対して垂直方向への変位動作によってフォーカシング制御動作を行うとともに多層型光ディスクＤの径方向への変位動作によってトラッキング制御動作を行うように構成されている。斯かる動作を行う対物レンズは、例えば４本の支持ワイヤーにてフォーカシング制御方向及びトラッキング制御方向への変位を可能に支持されているレンズホルダーと呼ばれる部材上に固定されているが、斯かる構成は周知であるので、その説明は省略する。
【００３２】
前記対物レンズ７によって多層型光ディスクＤの各信号記録層に照射されたレーザー光は前記信号記録層から反射された戻り光として光ディスクＤ側から前記対物レンズ７に入射される。前記対物レンズ７に入射される戻り光は、反射ミラー６及びコリメートレンズ５を通して前記偏光ビームスプリッタ３に入射される。
【００３３】
このようにして、前記偏光ビームスプリッタ３に入射された戻り光は偏光ビームスプリッタ３に形成されている制御膜３ａによって制御用レーザー光として反射されるように構成されている。
【００３４】
８は前記偏光ビームスプリッタ３の制御膜３ａにて反射された制御用レーザー光が入射されるセンサーレンズであり、該制御用レーザー光をＰＤＩＣと呼ばれる光検出器９に設けられている受光部に集光レーザー光として照射させる作用を有している。また、前記センサーレンズ８にはシリンドリカルレンズ等が組み込まれており、非点収差法によるフォーカシング制御動作を行うために非点収差を発生させるように構成されているが、斯かる点は周知であるので、その説明は省略する。
【００３５】
１０は前記コリメートレンズ５と反射ミラー６との間の光路内に設けられているととも
に直線偏光光の偏光方向を選択的に切換える偏光方向制御板であり、矢印Ａ方向へ変位した第１動作位置とＢ方向へ変位した第２動作位置との間を変位可能に設けられている。１１は前記偏光方向制御板１０に設けられている１／２波長板であり、該偏光方向制御板１０が図示した第１動作位置にあるとき光路内に配置されるように構成されている。１２は前記偏光方向制御板１０に設けられている透孔であり、該偏光方向制御板１０が図示した状態より矢印Ｂ方向に変位した第２動作位置にあるとき光路内に配置されるように構成されている。
【００３６】
以上に説明したように本発明の多層型光ディスクＤに設けられている複数の信号記録層に記録されている信号の読み出し動作を行うことが出来る光ピックアップ装置は構成されているが、次にその読み出し動作について説明する。
【００３７】
まず、第１信号記録層Ｌ１に記録されている信号を読み出す場合の動作について説明する。第１信号記録層Ｌ１にはＰ方向の偏光光を反射させる第１偏光反射コートＰ１が付されているので、偏光方向制御板１０は図３に示す第１動作位置に変位保持された状態にある。即ち、前記偏光方向制御板１０に設けられている１／２波長板１１がレーザー光の光路内に配置された状態にある。
【００３８】
斯かる状態において、光ディスク装置に組み込まれている制御回路から第１信号記録層Ｌ１に記録されている信号の読み出し動作を行うための命令信号が出力されると、光ピックアップ装置に組み込まれているレーザーダイオード駆動回路からレーザーダイオード１に対して第１信号記録層Ｌ１に記録されている信号の読み出し動作を行うために必要な大きさのレーザー光を放射させるための駆動信号が供給される。
【００３９】
斯かる駆動信号がレーザーダイオード１に供給されると該レーザーダイオード１からＳ偏光光であるとともに第１信号記録層Ｌ１に記録されている信号を読み出すために必要な大きさのレーザー光が放射される。前記レーザーダイオード１から放射されたレーザー光は、回折格子２に入射され、該回折格子２によってメインビームとサブビームより成るレーザー光として出射される。
【００４０】
前記回折格子２から出射されたレーザー光は、偏光ビームスプリッタ３に入射され、該偏光ビームスプリッタ３に設けられている制御膜３ａによって透過レーザー光と反射レーザー光とに分離される。前記制御膜３ａはＳ偏光光レーザー光の半分の光量を透過させるとともに半分の光量を反射させるように構成されているので、入射されるレーザー光の半分を信号の読み出し動作を行うためのレーザー光としてコリメートレンズ５の方向へ透過させるとともに残りの半分をモニター用のレーザー光としてフロントモニター用ダイオード４方向へ反射させることになる。
【００４１】
前記偏光ビームスプリッタ３に設けられている制御膜３ａによってモニター用のレーザー光として反射されたレーザー光はフロントモニター用ダイオード４に照射されるので、該フロントモニター用ダイオード４からレーザー光のレベルに対応した大きさの信号、即ちモニター信号が得られることになる。従って、斯かるモニター信号をレーザーダイオード１に駆動信号を供給するべく設けられているレーザーダイオード駆動回路に帰還させることによってレーザー光の強度を所望の値になるように制御することが出来る。斯かる動作を行う回路等は周知であるのでその説明は省略する。
【００４２】
前記偏光ビームスプリッタ３に設けられている制御膜３ａを信号の読み出し動作を行うためのレーザー光として透過したレーザー光はコリメートレンズ５に入射され、該コリメートレンズ５によって平行光に変更される。前記コリメートレンズ５によって平行光に変更されたレーザー光は、偏光方向制御板１０に設けられている１／２波長板１１を透過し
て反射ミラー６に入射され、該反射ミラー６にて対物レンズ７方向へ反射されることになる。
【００４３】
前記反射ミラー６にて反射されて対物レンズ７に入射されるレーザー光の偏光方向は前記１／２波長板１１によってＳ偏光光からＰ偏光光に変換されている。図１は斯かるＰ偏光光のレーザー光が前記対物レンズ７によって集光された状態を示すものであり、同図より明らかなように第１信号記録層Ｌ１に集光されるとともに一部のレーザー光は破線で示すように該第１信号記録層Ｌ１を透過することになる。
【００４４】
前記第１信号記録層Ｌ１に集光されたレーザー光はＰ偏光光であるため、該第１信号記録層Ｌ１に付されている第１偏光反射コートＰ１にて反射される。前記第１偏光反射コートＰ１にて反射されたレーザー光は、対物レンズ７に光ディスクＤ側から入射されるので、反射ミラー６、偏光方向制御板１０に設けられている１／２波長板１１及びコリメートレンズ５を介して偏光ビームスプリッタ３に入射される。
【００４５】
前記偏光ビームスプリッタ３に入射される第１信号記録層Ｌ１からの反射光であるレーザー光の偏光方向は前記１／２波長板１１の偏光作用によってＰ偏光光からＳ偏光光に変換されているので、該偏光ビームスプリッタ３に設けられている制御膜３ａによって光量の半分がセンサーレンズ８側に反射されることになる。
【００４６】
前記制御膜３ａにて反射されて前記センサーレンズ８に入射されたレーザー光は、該センサーレンズ８によって非点収差を付加されて光検出器９に照射される。このようにしてレーザー光が光検出器９に照射されると、該光検出器９に組み込まれている４分割センサー(図示せず)等によるフォーカシングエラー信号、トラッキングエラー信号及びデータ信号の生成動作が行われ、斯かる信号に基づくフォーカシング制御動作、トラッキング制御動作及びデータ信号の復調動作が行われるが、斯かる動作は周知であるのでその説明は省略する。
【００４７】
斯かる動作によって多層型光ディスクＤに設けられている第１信号記録層Ｌ１に記録されている信号の光ピックアップ装置による読み出し動作は行われるが、斯かる動作が行われるとき、前述したように第１信号記録層Ｌ１に集光されるレーザー光の一部が該第１信号記録層Ｌ１を透過する。
【００４８】
前記第１信号記録層Ｌ１を透過したＰ偏光光であるレーザー光は、第１信号記録層Ｌ１に近接して配置されている第２信号記録層Ｌ２に照射されるが、該第２信号記録層Ｌ２にはＳ偏光反射コートである第２偏光反射コートＰ２が付されているので、該レーザー光は図１の破線で示すように第２信号記録層Ｌ２を透過することになる。従って、前記第２信号記録層Ｌ２からレーザー光が反射されないので、対物レンズ７に対して迷光と呼ばれる不要な戻り光が入射されることはない。
【００４９】
また、第２信号記録層Ｌ２を透過したレーザー光は、Ｐ偏光反射コートである第３偏光反射コートＰ３が付されている第３信号記録層Ｌ３に照射されて反射されるが、該第３信号記録層Ｌ３は第１信号記録層Ｌ１と離れた位置に配置されているので、第３信号記録層Ｌ３から反射されるレーザー光は広範囲に発散されることになる。従って、対物レンズ７に対して戻り光として入射されるレーザー光の光量は無視することが出来る程度に小さくなり、前述した光検出器９による各種信号の生成検出動作に悪影響を与えることはない。
【００５０】
以上に説明したように第１信号記録層Ｌ１に記録されている信号の読み出し動作は行われるが、次に第２信号記録層Ｌ２に記録されている信号を読み出す場合の動作について説明する。
【００５１】
第２信号記録層Ｌ２にはＳ方向の偏光光を反射させる第２偏光反射コートＰ２が付されているので、光ピックアップ装置に組み込まれている偏光方向制御板１０は図３に示す第１動作位置の反対側、即ち矢印Ｂ方向に変位した第２動作位置に変位せしめられる。前記偏光方向制御板１０が第２動作位置にあるとき、前記偏光方向制御板１０に設けられている透孔１２がレーザー光の光路内に配置された状態になる。
【００５２】
斯かる状態において、光ディスク装置に組み込まれている制御回路から第２信号記録層Ｌ２に記録されている信号の読み出し動作を行うための命令信号が出力されると、光ピックアップ装置に組み込まれているレーザーダイオード駆動回路からレーザーダイオード１に対して第２信号記録層Ｌ２に記録されている信号の読み出し動作を行うために必要な大きさのレーザー光を放射させるための駆動信号が供給される。
【００５３】
斯かる駆動信号がレーザーダイオード１に供給されると該レーザーダイオード１からＳ偏光光であるとともに第２信号記録層Ｌ２に記録されている信号を読み出すために必要な大きさのレーザー光が放射される。前記レーザーダイオード１から放射されたレーザー光は、前述した第１信号記録層Ｌ１に記録されている信号の読み出し動作時と同様に回折格子２に入射され、該回折格子２によってメインビームとサブビームより成るレーザー光として出射される。
【００５４】
そして、前記回折格子２から出射されたレーザー光は、偏光ビームスプリッタ３に入射され、前述したように該偏光ビームスプリッタ３に設けられている制御膜３ａによって透過レーザー光と反射レーザー光とに分離される。前記制御膜３ａにて反射されたレーザー光はモニター用のレーザー光としてフロントモニター用ダイオード４に照射されるので、前述したモニター動作によってレーザー光の強度を所望の値になるように制御することが出来る。
【００５５】
また、前記偏光ビームスプリッタ３に設けられている制御膜３ａを信号の読み出し動作を行うためのレーザー光として透過したレーザー光はコリメートレンズ５に入射され、該コリメートレンズ５によって平行光に変更される。前記コリメートレンズ５によって平行光に変更されたレーザー光は、第２動作位置にある偏光方向制御板１０に設けられている透孔１２を透過して反射ミラー６に入射され、該反射ミラー６にて対物レンズ７方向へ反射されることになる。
【００５６】
前記反射ミラー６にて反射されて対物レンズ７に入射されるレーザー光の偏光方向は偏光素子である１／２波長板１１を透過していないので、Ｓ偏光光のままである。図２は斯かるＳ偏光光のレーザー光が前記対物レンズ７によって集光された状態を示すものであり、同図より明らかなように第１信号記録層Ｌ１を透過して第２信号記録層Ｌ２に集光されるとともに一部のレーザー光は破線で示すように該第２信号記録層Ｌ２を透過することになる。
【００５７】
前記第２信号記録層Ｌ２に集光されるレーザー光はＳ偏光光であるため、Ｐ偏光反射コートである第１偏光反射コートＰ１が付されている第１信号記録層Ｌ１を透過した後、該第２信号記録層Ｌ２に付されている第２偏光反射コートＰ２にて反射される。前記第２偏光反射コートＰ２にて反射されたレーザー光は、第１信号記録層Ｌ１を透過するとともに対物レンズ７に光ディスクＤ側から入射されるので、反射ミラー６、偏光方向制御板１０に設けられている透孔１２及びコリメートレンズ５を介して偏光ビームスプリッタ３に入射される。
【００５８】
前記偏光ビームスプリッタ３に入射される第２信号記録層Ｌ２からの反射光であるレー
ザー光の偏光方向はＳ偏光光であるので、該偏光ビームスプリッタ３に設けられている制御膜３ａによって光量の半分がセンサーレンズ８側に反射されることになる。
【００５９】
前記制御膜３ａにて反射されて前記センサーレンズ８に入射されたレーザー光は、該センサーレンズ８によって非点収差を付加されて光検出器９に照射される。このようにしてレーザー光が光検出器９に照射されると、該光検出器９に組み込まれている４分割センサー(図示せず)等によるフォーカシングエラー信号、トラッキングエラー信号及びデータ信号の生成動作が行われ、斯かる信号に基づくフォーカシング制御動作、トラッキング制御動作及びデータ信号の復調動作が前述した第１信号記録層Ｌ１に記録されている信号の読み出し動作と同様に行われることになる。
【００６０】
斯かる動作によって多層型光ディスクＤに設けられている第２信号記録層Ｌ２に記録されている信号の光ピックアップ装置による読み出し動作は行われるが、斯かる動作が行われるとき、前述したように第２信号記録層Ｌ２に集光されるレーザー光の一部が該第２信号記録層Ｌ２を透過する。
【００６１】
前記第２信号記録層Ｌ２を透過したＳ偏光光であるレーザー光は、第２信号記録層Ｌ２に近接して配置されている第３信号記録層Ｌ３に照射されるが、該第３信号記録層Ｌ３にはＰ偏光反射コートである第３偏光反射コートＰ３が付されているので、該レーザー光は図２の破線で示すように第３信号記録層Ｌ３を透過することになる。従って、前記第３信号記録層Ｌ３からレーザー光が反射されないので、対物レンズ７に対して迷光と呼ばれる不要な戻り光が入射されることはない。
【００６２】
また、第３信号記録層Ｌ３を透過したレーザー光は、Ｓ偏光反射コートである第４偏光反射コートＰ４が付されている第４信号記録層Ｌ４に照射されて反射されるが、該第４信号記録層Ｌ４は第２信号記録層Ｌ２と離れた位置に配置されているので、第４信号記録層Ｌ４から反射されるレーザー光は広範囲に発散されることになる。従って、対物レンズ７に対して戻り光として入射されるレーザー光の光量は無視することが出来る程度に小さくなり、前述した光検出器９による各種信号の生成検出動作に悪影響を与えることはない。
【００６３】
以上に説明したように第１信号記録層Ｌ１及び第２信号記録層Ｌ２に記録されている信号の読み出し動作は行われるが、次に第３信号記録層Ｌ３に記録されている信号の読み出し動作について説明する。
【００６４】
斯かる動作は、前述した第１信号記録層Ｌ１に記録されている信号の読み出し動作と同様に行われるが、相違する点はレーザーダイオード１に供給される駆動信号の大きさを変更する点と集光動作を行う信号記録層を検出する動作を行う点にある。
【００６５】
即ち、第３信号記録層Ｌ３は第１信号記録層Ｌ１よりも入射面Ｄ１から見て奥に配置されているとともに第１信号記録層Ｌ１にて光量が減衰されるので、レーザーダイオード１から放射されるレーザー光の強度を大きくする必要があるからである。第３信号記録層Ｌ３に記録されている信号の読み出し動作は、前述したようにレーザーダイオード１に供給される駆動信号の大きさを第１信号記録層Ｌ１に記録されている信号の読み出し動作を行う場合に比較して大きくする動作を行った後に第１信号記録層Ｌ１と第３信号記録層Ｌ３とを識別する動作を行うことによって行われる。
【００６６】
斯かる信号記録層の識別動作は、対物レンズ７を多層型光ディスクＤの入射面Ｄ１に対して離れた位置から近づける方向に移動させるときに得られるフォーカスエラー信号を検出することによって行うことが出来る。即ち、周知のとおり対物レンズ７を光ディスクの信号面に対して垂直方向へ変位させるとＳ字カーブと呼ばれるフォーカスエラー信号が得
られるので、対物レンズ７を入射面Ｄ１から離れた位置から近づける方向に移動させると第１信号記録層Ｌ１と第３信号記録層Ｌ３の位置で２つのＳ字カーブと呼ばれるフォーカスエラー信号が得られる。
【００６７】
このように対物レンズ７を変位させたときに得られるＳ字カーブの数を検出することによって第１信号記録層Ｌ１と第３信号記録層Ｌ３とを識別することが出来るので、２つ目のＳ字カーブが得られた信号記録層が所望の信号記録層である第３信号記録層Ｌ３であることを認識することが出来る。従って、第３信号記録層Ｌ３に対するフォーカス制御動作及びトラッキング制御動作を行うことによって該第３信号記録層Ｌ３に記録されている信号の読み出し動作を行うことが出来る。
【００６８】
第３信号記録層Ｌ３に記録されている信号の読み出し動作は、Ｐ偏光光のレーザー光にて行われるが、該第３信号記録層Ｌ３の奥に配置されている第４信号記録層Ｌ４にはＳ偏光反射コートである第４偏光反射コートＰ４が付されているので、Ｐ偏光光のレーザー光が第４信号記録層Ｌ４から反射されることはない。従って、第３信号記録層Ｌ３に記録されている信号の読み出し動作に対して迷光による悪影響を与えることはないので、第３信号記録層Ｌ３に記録されている信号の読み出し動作を正確に行うことが出来る。
【００６９】
以上に説明したように第３信号記録層Ｌ３に記録されている信号の読み出し動作は行われるが、次に該第３信号記録層Ｌ３の奥に配置されている第４信号記録層Ｌ４に記録されている信号の読み出し動作について説明する。
【００７０】
斯かる動作は、前述した第２信号記録層Ｌ２に記録されている信号の読み出し動作と同様に行われるが、相違する点はレーザーダイオード１に供給される駆動信号の大きさを変更する点と集光動作を行う信号記録層を検出する動作を行う点にある。
【００７１】
即ち、第４信号記録層Ｌ４は第２信号記録層Ｌ２よりも入射面Ｄ１から見て奥に配置されているとともに第２信号記録層Ｌ２にて光量が減衰されるので、レーザーダイオード１から放射されるレーザー光の強度を大きくする必要があるからである。第４信号記録層Ｌ４に記録されている信号の読み出し動作は、前述したようにレーザーダイオード１に供給される駆動信号の大きさを第２信号記録層Ｌ２に記録されている信号の読み出し動作を行う場合に比較して大きくする動作を行った後に第２信号記録層Ｌ２と第４信号記録層Ｌ４とを識別する動作を行うことによって行われる。
【００７２】
斯かる信号記録層の識別動作は、前述したように対物レンズ７を多層型光ディスクＤの入射面Ｄ１に対して離れた位置から近づける方向に移動させるときに得られるフォーカスエラー信号を検出することによって行うことが出来る。即ち、対物レンズ７を光ディスクの信号面に対して垂直方向へ変位させるとＳ字カーブと呼ばれるフォーカスエラー信号が得られるので、対物レンズ７を入射面Ｄ１から離れた位置から近づける方向に移動させると第２信号記録層Ｌ２と第４信号記録層Ｌ４の位置で２つのＳ字カーブと呼ばれるフォーカスエラー信号が得られる。
【００７３】
このように対物レンズ７を変位させたときに得られるＳ字カーブの数を検出することによって第２信号記録層Ｌ２と第４信号記録層Ｌ４とを識別することが出来るので、２つ目のＳ字カーブが得られた信号記録層が所望の信号記録層である第４信号記録層Ｌ４であることを認識することが出来る。従って、第４信号記録層Ｌ４に対するフォーカス制御動作及びトラッキング制御動作を行うことによって該第４信号記録層Ｌ４に記録されている信号の読み出し動作を行うことが出来る。
【００７４】
第４信号記録層Ｌ４に記録されている信号の読み出し動作は、Ｓ偏光光のレーザー光に
て行われるが、該第４信号記録層Ｌ４の奥には信号記録層が配置されていないので、レーザー光が迷光として反射されることはない。従って、第４信号記録層Ｌ４に記録されている信号の読み出し動作に対して迷光による悪影響を与えることはないので、第４信号記録層Ｌ４に記録されている信号の読み出し動作を正確に行うことが出来る。
【００７５】
本実施例では信号記録層が４層設けられている多層型光ディスクについて説明したが、２層以上の信号記録層が設けられている多層型光ディスクに実施することが出来る。また、本実施例では、４層、即ち偶数の信号記録層が設けられている多層型光ディスクについて説明したが、３層や５層のような奇数個の信号記録層が設けられている多層型光ディスクに実施することは勿論可能である。
【００７６】
また、本発明の多層型光ディスクＤに設けられている信号記録層に記録されている信号の読み出し動作を行うレーザー光の偏光方向を選択変更する動作を１／２波長板１１が設けられている偏光方向制御板１０を第１動作位置と第２動作位置に変位させることによって行うようにしたが、他の構成にすることは勿論可能である。
【図面の簡単な説明】
【００７７】
【図１】本発明に係る多層型光ディスクと対物レンズとの関係を示す断面図である。
【図２】本発明に係る多層型光ディスクと対物レンズとの関係を示す断面図である。
【図３】本発明に係る多層型光ディスクに記録されている信号の読み出し動作を行う光ピックアップ装置の一実施例を示す構成図である。
【符号の説明】
【００７８】
Ｌ１    第１信号記録層
Ｌ２    第２信号記録層
Ｌ３    第３信号記録層
Ｌ４    第４信号記録層
Ｐ１    第１偏光反射コート
Ｐ２    第２偏光反射コート
Ｐ３    第３偏光反射コート
Ｐ４    第４偏光反射コート
１      レーザーダイオード
３      偏光ビームスプリッタ
５      コリメートレンズ
７      対物レンズ
９      光検出器
１０    偏光方向制御板
１１    １／２波長板
１２    透孔
【図１】
2010040151.tif 000003
【図２】
2010040151.tif 000004
【図３】
2010040151.tif 000005